(57)【要約】【課題】最上段に冷蔵室を配置し、この冷蔵室の下部には野菜室を配置し、そして最下段には冷凍室を配置する構造を採用して使用者の使用勝手の向上を図っても、冷蔵室と冷凍室のそれぞれに冷気を送って冷蔵室と冷凍室の個別冷却を行うことができる冷蔵庫を提供する。【解決手段】冷蔵庫１は、本体２の上部から冷蔵室５、野菜室７、冷凍室８，９，１０を配置し、冷却器２０および送風機２１を冷凍室８，９，１０の後方に配置しており、冷蔵室５への送風を制御する冷蔵室用タンパ７０と、冷凍室への送風を制御する冷凍室用ダンパ３０を有する。【選択図】図５
2014134332.tif 000002
【特許請求の範囲】
【請求項１】
冷蔵庫本体の上部から冷蔵室、野菜室、冷凍室を配置し、冷却器および送風機を前記冷凍室の後方に配置する冷蔵庫であって、
前記冷蔵室への送風を制御する冷蔵室用タンパと、前記冷凍室への送風を制御する冷凍室用ダンパと、を有することを特徴とする冷蔵庫。
【請求項２】
前記冷蔵室用ダンパを前記野菜室と前記冷凍室を仕切る断熱壁内に配置することを特徴とする請求項１に記載の冷蔵庫。
【請求項３】
前記冷凍室用ダンパを前記送風機の前方に配置して、前記冷凍用ダンパを前記送風機の回転中心軸よりも上方に位置することを特徴とする請求項１に記載の冷蔵庫。
【請求項４】
前記冷却器を覆う冷却器カバーの前方に、開口部を有する断熱部材を有し、前記断熱部材の前記開口部に前記冷凍室用ダンパを配置することを特徴とする請求項１ないし３のいずれかに記載の冷蔵庫。
【請求項５】
前記冷凍室用ダンパは、開閉板を有し、前記開閉板は、鉛直方向で前記開口部を閉じており、前記開閉板が前記開口部を閉じた状態から前記冷凍室の収容室側に開くことで、前記冷凍室用ダンパは、前記冷凍室へ冷気を流入させることを特徴とする請求項１ないし４のいずれかに記載の冷蔵庫。
【請求項６】
前記冷凍室用ダンパの前記収容室側には、前記冷凍室の上方に前記冷気を吹き出すための冷凍室用の吹出口が設けられていることを特徴とする請求項５に記載の冷蔵庫。
【請求項７】
前記冷凍室用の吹出口は、前記送風機の回転中心軸よりも上方に設けられていることを特徴とする請求項３に記載の冷蔵庫。
【請求項８】
前記冷凍室用ダンパの横には、前記冷凍室の製氷室に冷気を吹き出す製氷室用の吹出口が設けられており、前記製氷室用の吹出口と前記冷凍室ダンパが同じ高さの位置に配置されていることを特徴とする請求項１ないし７のいずれかに記載の冷蔵庫。
【発明の詳細な説明】
【技術分野】
【０００１】
本発明の実施の形態は、冷蔵庫に関する。
【背景技術】
【０００２】
冷蔵庫としては、最上段に冷蔵室を配置し、この冷蔵室の下部に冷凍室を配置し、そして最下段に野菜室を配置しているものが、特許文献１に開示されている。
【先行技術文献】
【特許文献】
【０００３】
【特許文献１】特開２０１１−５８６９２号
【発明の概要】
【発明が解決しようとする課題】
【０００４】
ところで、特許文献１に記載の冷蔵庫では、冷却器と、冷却器により作られた冷気を送るための送風機と、冷凍室に冷気を導くための冷凍用ダンパを、冷凍室の後方位置以外の最下段の野菜室の後方位置に配置する場合には、冷却器を覆って野菜室と冷却器を断熱して野菜室の過冷却を防ぐために、冷却器には断熱材を配置する必要がある。
【０００５】
しかし、このように冷却器に断熱材を配置すると、野菜室の収容室の容積が、断熱材を配置する分減少してしまう。従って、この収容室の容積の減少を防ぐために、冷却器と送風機と冷凍用ダンパは、冷凍室の後方に配置することが多い。
【０００６】
一方、上述したように最下段に野菜室を配置すると、冷蔵庫の使用者は、中腰になって最下段に位置する野菜室から重い野菜を取り出さなければならず、冷蔵庫の使い勝手が良くない。
【０００７】
本発明は、上記に鑑みてなされたもので、その目的とするところは、最上段に冷蔵室を配置し、この冷蔵室の下部には野菜室を配置し、そして最下段には冷凍室を配置する構造を採用して使用者の使用勝手の向上を図っても、冷蔵室と冷凍室のそれぞれに冷気を送って冷蔵室と冷凍室の個別冷却を行うことができる冷蔵庫を提供することにある。
【課題を解決するための手段】
【０００８】
本発明の実施の形態の冷蔵庫は、冷蔵庫本体の上部から冷蔵室、野菜室、冷凍室を配置し、冷却器および送風機を前記冷凍室の後方に配置する冷蔵庫であって、前記冷蔵室への送風を制御する冷蔵室用タンパと、前記冷凍室への送風を制御する冷凍室用ダンパと、を有することを要旨とする。
【図面の簡単な説明】
【０００９】
【図１】本発明の実施形態に係わる冷蔵庫の全体を示す斜視図である。
【図２】図１に示す冷蔵庫の本体の内部における冷気の循環経路の例を矢印で示す図である。
【図３】図２に示す冷凍室ゾーンＦＺのÅ−Ａ線における断面構造例を示す図である。
【図４】図２に示す冷凍室ゾーンＦＺのÅ−Ａ線における断面構造例を示す図である。
【図５】断熱部材と冷凍室用ダンパを示す分解斜視図である。
【図６】断熱部材の後側部材と冷凍室用ダンパを組み立てた状態を示す図である。
【図７】冷凍室用ダンパの前面側を示す図である。
【図８】冷蔵室の収容室内に冷気の送風を制御する冷蔵室用ダンパの構造例を示す断面図である。
【図９】冷蔵室の収容室内に冷気の送風を制御する冷蔵室用ダンパの構造例を示す斜視図である。
【図１０】図１０（Ａ）は、冷凍室用ダンパの構造例を示し、図１０（Ｂ）は、冷蔵室用ダンパの構造例を示す断面図である。
【図１１】冷蔵庫の制御系統例を示す図である。
【発明を実施するための形態】
【００１０】
以下、図面を用いて、本発明の実施するための形態（以下、実施形態と称する）を説明する。
【００１１】
図１は、本発明の実施形態に係わる冷蔵庫１の全体を示す斜視図である。
【００１２】
図１に示す冷蔵庫１は、本体２を有している。この本体２の最上部の位置には、両開き式の左右の観音扉（回転扉）３，４で開閉される冷蔵室５を設けられている。これらの観音扉３，４は、それぞれ本体２の回転軸３Ａ，４Ａを中心にして開閉可能に取り付けられている。
【００１３】
図１に示す冷蔵室５の下側には、引出し式扉７ａで開閉される野菜室７が設けられている。この野菜室７の下側には、製氷室８と上部冷凍室９が横方向に並んで設けられている。製氷室８は引出し式扉８ａで開閉され、上部冷凍室９は引出し式扉９ａで開閉される。
【００１４】
図１に示す本体２の最下部であって、これらの製氷室８と上部冷凍室９の下側には、主冷凍室１０が設けられている。主冷凍室１０は引出し式扉１０ａで開閉される。観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１５】
このように、図１に示す冷蔵庫１の本体２のレイアウトとしては、最も上段には冷蔵室５が配置され、この冷蔵室５の下部には野菜室７が配置され、さらにこの野菜室７の下部には製氷室８と上部冷凍室９が配置され、しかも製氷室８と上部冷凍室９の下部には主冷凍室１０が配置されている。これらの製氷室８と上部冷凍室９と主冷凍室１０は、冷凍室ゾーンＦＺを構成している。
【００１６】
図２は、図１に示す冷蔵庫１の本体２の内部における冷気の循環経路例を矢印で示している。
【００１７】
図２に示す冷凍室ゾーンＦＺには、冷却器カバー１１が配置されている。この冷蔵庫１は、例えば冷蔵室５の冷却と、野菜室７の冷却と、冷凍室ゾーンＦＺの冷却を、１台のエバポレータにより冷却されて得られる冷気を用いて行う１エバポレータタイプの冷蔵庫である。後で説明する冷却器と送風機は、最下段の冷凍室ゾーンＦＺの後方位置に配置されている。冷却器で作り出される冷気とは、低温の空気である。
【００１８】
図２に示すように、本体２は、冷蔵室冷却ダクトを有している。この冷蔵室冷却ダクトは、冷却器で作り出される冷気を、送風機の動作により矢印Ｐ１で示すように最上段の冷蔵室５の収容室に送り、冷蔵室５の収容室に送られた冷気を、その後矢印Ｐ２で示すように野菜室７の収容室を通過して、冷却器へ戻すことができる。このように、冷蔵室５へ冷気を送るための制御は、冷蔵温度センサにより得られる冷蔵室内の冷蔵室温度に従って、冷蔵室用ダンパ７０を開閉することにより実施される。
【００１９】
さらに、本体２は、冷凍室冷却ダクトを有している。この冷凍室冷却ダクトは、冷却器で作り出される冷気を、送風機の動作により矢印Ｐ３、Ｐ４、Ｐ５、Ｐ６で示すように、冷凍室ゾーンＦＺの収容室に送り、そして矢印Ｐ７で示すように、冷凍室ゾーンＦＺの収容室内から冷却器へ戻すことができる。冷凍室冷却ダクトは、冷却器を覆う冷却器カバー１１を用いて冷凍室ゾーンＦＺへ冷気を吹き出すようになっている。このように、冷凍室ゾーンＦＺへ冷気を送るための制御は、冷凍温度センサにより得られる冷凍室ゾーンＦＺ内の冷凍室温度に従って、冷凍室用ダンパ３０を開閉することにより実施される。
【００２０】
図３と図４は、図２に示す冷凍室ゾーンＦＺのＡ−Ａ線における断面構造例を示している。図３では、冷凍室用ダンパ３０は閉じた状態であり、冷気は冷凍室ゾーンＦＺには供給されないようになっている。図４では、冷凍室用ダンパ３０は完全に開いた状態になっており、冷気が冷凍室ゾーンＦＺには供給される。
【００２１】
図３と図４では、冷凍室ゾーンＦＺを構成している製氷室８と上部冷凍室９と主冷凍室１０を示している。冷凍室ゾーンＦＺの後方には、冷却器２０と送風機２１等が配置されている。冷却器カバー１１には、送風機２１と冷却器２０が取り付けられている。送風機２１は、冷却器２０の上方に位置され、送風機２１の前方には、冷凍室用ダンパ３０と断熱部材４０が配置されている。
【００２２】
図３と図４に示すように、冷却器２０と送風機２１が、中段の野菜室７の後方ではなく、最下段の冷凍室ゾーンＦＺの後方に配置されているので、本発明の範囲外である冷却器と送風機が野菜室の後方に配置されている場合とは異なり、冷却器カバー１１には断熱構造体を設ける必要が無いので、冷却器カバー１１の構造が簡単になり軽量化が図れる。
【００２３】
図３と図４に示すように、この断熱部材４０の上部には、開口部４１が設けられている。この開口部４１には、冷凍室用ダンパ３０がはめ込んで配置されている。断熱部材４０の内部には、冷凍ダクト９８が形成されている。断熱部材４０では、冷凍ダクト９８の端部が中間位置の冷気吹出口４４と下部位置の冷気吹出口４５となっている。断熱部材４０は、冷気吹出口４４，４５の他に、製氷室用の冷気吹出口４６を有する。製氷室用の冷気吹出口４６は、冷気吹出口４４の上部に位置され、冷気吹出口４４は冷気吹出口４５の上部に位置されている。
【００２４】
図３と図４では、断熱部材４０は、Ｚ方向（上下方向）に沿って、冷却器２０の前方に配置されており、冷却器２０により作られ冷気を、冷凍室ゾーンＦＺの収容室内に矢印Ｐ３、Ｐ６、Ｐ５に沿って吹き出すようになっている。なお、送風機２１の下流側と冷凍室用ダンパ３０との間に形成されている空間は、圧力室９９である。
【００２５】
図４に示すように、開口部４１は、送風機（ファン）２１の回転中心軸ＣＬよりも上部に配置されている。すなわち、この開口部４１に配置されている冷凍室用ダンパ３０は、送風機２１の回転中心軸ＣＬよりも上部に位置されている。これにより、冷凍室ダンパ３０を冷凍室ゾーンＦＺの後方に配置する際に、図１に示す冷凍室である製氷室８と上部冷凍室９と主冷凍室１０の収容室内へ冷気を送風するための風路（ダクト）の形成するのを妨げないようにすることができる。
【００２６】
次に、上述した断熱部材４０と、冷凍室用ダンパ３０の好ましい構造例を、図５ないし図７を参照して説明する。
【００２７】
図５は、断熱部材４０と冷凍室用ダンパ３０を示す分解斜視図である。図６は、断熱部材４０の後側部材５１と冷凍室用ダンパ３０を組み立てた状態を示し、図６（Ａ）は、この冷凍室用ダンパ３０が閉じた状態を示し、図６（Ｂ）は、冷凍室用ダンパ３０が開いた状態を示している。図７は、冷凍室用ダンパ３０の前面側を示す図である。
【００２８】
図５から図７に示す冷凍室用ダンパ３０は、冷凍室ゾーンＦＺの収容室内への冷気の送風を制御する。図５に示すように、断熱部材４０は、前側部材５０と後側部材５１を有している。断熱部材４０の前側部材５０と後側部材５１は、好ましくは形状を維持するためのプラスチック製のケース体と、このケース体の内側に配置された断熱材料、例えばＥＰＳ（発泡スチロール）とにより構成されている。図３と図４に示すように、前側部材５０は、冷凍室ゾーンＦＺの冷凍空間ＦＲ寄りの位置に配置され、後側部材５１は、冷却器２０と送風機２１寄りの位置に配置されている。
【００２９】
図５に示すように、断熱部材４０の前側部材５０は、ほぼ直方体形状の部材であり、製氷室用の冷気吹出口４６と、上部冷凍室用の冷気吹出口４９と、主冷凍室用の冷気吹出口４４，４５，４５と、冷気吸込み口５９を有している。製氷室用の冷気吹出口４６と、上部冷凍室用の冷気吹出口４９は、前側部材５０において、最も上部の位置に形成されており、同じ高さ位置に並べて形成されている。上部冷凍室用の冷気吹出口４９は、上部の中央位置に形成されているが、製氷室用の冷気吹出口４６は、上部冷凍室用の冷気吹出口４９の横側の位置に形成されている。
【００３０】
図５に示すように、主冷凍室用の冷気吹出口４４は、前側部材５０の中央位置に形成され、２つの主冷凍室用の冷気吹出口４５，４５は、主冷凍室用の冷気吹出口４４よりもさらに下の位置に、左右に振り分けて形成されている。冷気吸込み口５９は、主冷凍室用の冷気吹出口４５，４５の間に形成されている。冷気吸込み口５９は、主冷凍室１０の収容室内の冷気を、図３の冷却器２０側に戻すために形成されている。
【００３１】
断熱部材４０の後側部材５１は、ほぼ直方体形状の部材であるが、前側部材５０よりは上下方向の寸法が小さくなっている。後側部材５１は、上部に長方形状で横長の開口部４１を有している。図６に示すように、開口部４１には、長方形状の冷凍室用ダンパ３０がはめ込んで固定されている。
【００３２】
この開口部４１の横には、冷気案内用の凹部６１が形成されている。この冷気案内用の凹部６１は、前側部材５０の製氷室用の冷気吹出口４６に対応した位置に形成されている。
【００３３】
図５に示すように、後側部材５１は、開口部４１の下側に、Ｚ方向（鉛直方向）に対してわずかな角度で前側に傾斜した冷気案内面６２を有している。この冷気案内面６２は、図４に示すように、前側部材５０の冷気案内面６３に対面しており、図４に示すように、冷気案内面６２と前側部材５０の冷気案内面６３は、冷凍室ゾーンＦＺの各室に冷気を導くための冷凍ダクト９８を構成している。
【００３４】
図５と図６に示すように、冷凍室用ダンパ３０は、直方体形状の駆動部３１と、長方形状のフレーム３２と、長方形状のダンパ板（開閉板）３３と、断熱保護部材３４を有している。ダンパ板３３は、図６（Ｂ）に示すフレーム３２の長方形の開口３２Ｐ内に配置されている。
【００３５】
断熱保護部材３４は、駆動部３１にはめ込むことで駆動部３１を包囲して断熱するために、断面Ｕ型を有している。駆動部３１内には、モータと、モータの出力軸の回転をダンパ板３３の回転に変えるためのギア等の駆動機構を収容している。断熱保護部材３４は、ＥＰＳ（発泡スチロール）等の軽量な断熱材料により形成されている。
【００３６】
図７に示すように、ダンパ板３３の上端部は、フレーム３２の軸部３５を中心として、回転中心Ｍを中心に回動自在に保持されている。これにより、駆動部３１の図示しないモータを駆動することで、ダンパ板３３は、図６（Ａ）に示す閉鎖状態から、Ｒ１方向に９０度回転して、図６（Ｂ）に示す開いた状態にすることができ、逆に図６（Ｂ）に示す開いた状態から、Ｒ２方向に９０度回転することで図６（Ａ）に示す閉鎖状態に戻すことができる。このダンパ板３３は、Ｒ１方向とＲ２方向に沿って、例えば１０段階の角度で開度を調整することができる。
【００３７】
このようにダンパ板３３が、フレーム３２の上側にある軸部３５を中心にして上側に持ち上げて回転することで、図６（Ｂ）に示すようにダンパ板３３は、水平に保持するようになっている。ダンパ板３３が水平に保持されてフレーム３２の開口３２Ｐが開くと、この開口３２Ｐには、送風機２１により送られてくる冷風が通過する。この冷風は温風に比べて重いので冷風は開口３２Ｐの下側を通過する。これにより、冷風が開口３２Ｐを通過しても、冷風の通過はダンパ板３３の存在により邪魔されることがなく、開口３３Ｐをスムーズに通過することができる。なお、ダンパ板３３は、開閉板あるいはバッフルとも言う。
【００３８】
次に、図８と図９を参照して、冷蔵室用ダンパ７０について説明する。
【００３９】
図８と図９には、冷蔵室５の食品の収容室内に冷気の送風を制御する冷蔵室用ダンパ７０の構造例を示している。冷蔵室用ダンパ７０は、図２の冷蔵室５の収容室への冷気の送風を制御するための装置である。冷蔵室用ダンパ７０は、断熱壁９５に配置されている。この断熱壁９５は、冷却器２０が配置されている室７７よりも上部にあり、野菜室７と冷凍室ゾーンＦＺを仕切る部材である。
【００４０】
図８に示すように、この冷蔵室用ダンパ７０は、冷凍室用ダンパ３０に対してＺ方向に関して上側に位置し、Ｙ方向に関して後方に位置している。しかも、図２に示すように、蔵室用ダンパ７０は、冷凍室用ダンパ３０に対してＸ方向に関して少しずれて位置されている。Ｘ方向は本体２の左右方向であり、Ｙ方向は本体２の奥行方向であり、Ｚ方向は本体２の上下方向である。
【００４１】
図４の冷却器２０で作り出される冷気は、図４の送風機２１の動作により、図８の示す矢印Ｐ８に沿って送られ、この冷蔵室用ダンパ７０を通り、そして矢印Ｐ９で示すように送られて、そして図２に示すＰ１で示すように、冷蔵室５の収容室内に供給されるようになっている。
【００４２】
図８と図９に示すように、冷蔵室用ダンパ７０は、冷凍室用ダンパ３０に比べると小型であり、断熱材９５の冷蔵ダクト７９にはめ込んで配置されている。この冷蔵室用ダンパ７０は、直方体形状の駆動部８１と、ほぼ長方形状のフレーム８２と、長方形状のダンパ板８３を有している。駆動部８１内には、モータと、モータの出力軸の回転をダンパ板８３の回転に変えるためのギア等の駆動機構を収容している。ダンパ板８３の一端部は、フレーム８２の軸部８５を中心として、回転中心Ｎを中心に冷気の下流側に向けて回動自在に保持されている。
【００４３】
これにより、駆動部８１の駆動モータを駆動することで、ダンパ板８３は、図９に示すように、冷蔵用冷気の送風ダクト７９を閉じた状態８３Ｃから、Ｑ１方向に９０度回転して直立させることで、図９において実線で示すように冷蔵用冷気の送風ダクト７９を開いた状態にすることができる。また、ダンパ板８３は、逆に図９に示すように冷蔵用冷気の送風ダクト７９を開いた状態から、Ｑ２方向に９０度回転することで冷蔵ダクト７９を閉じた状態に戻すことができる。このように、ダンパ板８３は、全閉状態か全開状態のいずれかである。なお、ダンパ板８３は、開閉板あるいはバッフルとも言う。
【００４４】
図１０は、上述した冷凍室用ダンパ３０と冷蔵室用ダンパ７０のさらに詳しい構造例を示している。図１０（Ａ）は、冷凍室用ダンパ３０の構造例を示し、図１０（Ｂ）は、冷蔵室用ダンパ７０の構造例を示している。
【００４５】
図１０（Ａ）に示す冷凍室用ダンパ３０では、フレーム３２は、突き当て部分３８を有している。突き当て部分３８は、冷凍室ゾーンＦＺ側に向けて、すなわち矢印Ｐ４で示す冷気の流れ方向に沿って突出している。ダンパ板３３の内側には、弾性変形可能で断熱性能を有する長方形状のシート３７が貼り付けられている。ダンパ板３３が冷凍用冷気の送風ダクト３９を閉じた状態では、このシート３７は、フレーム３２の突き当て部分３８を突き当てることで、ダンパ板３３が冷凍用冷気の送風ダクト３９を冷気が漏れないように完全に閉じることができる。しかも、シート３７は、ダンパ板３３とフレーム３２の開口３２Ｐにおいて断熱性をも確保することができる。
【００４６】
一方、図１０（Ｂ）に示す冷蔵室用ダンパ７０では、フレーム８２は、突き当て部分８８を有している。突き当て部分８８は、冷蔵室５側に向けて、すなわち矢印Ｐ９で示す冷気の流れ方向に突出している。ダンパ板３３の内側には、弾性変形可能で断熱性能を有する長方形状のシート８７が貼り付けられている。ダンパ板８３が冷蔵用冷気の送風ダクト７９を閉じた状態では、このシート３７は、フレーム３２の突き当て部分３８を突き当てることで、ダンパ板８３が冷蔵ダクト７９を冷気が漏れないように完全に閉じることができる。しかも、シート８７は、ダンパ板８３と冷蔵ダクト７９において断熱性をも確保することができる。
【００４７】
図８に示す冷却器２０が配置されている室７７は、冷蔵室用ダンパ７０が設けられた冷蔵ダクト７９によって冷蔵室５の冷蔵空間ＲＲと接続される。図８に示すように、冷蔵室５の背面には、冷蔵室５の冷蔵空間の庫内温度を測定するための冷蔵温度センサＳ１が設けられている。しかも、図３に示すように、室７７は、冷凍室用ダンパ３０が設けられた冷凍ダクト９８によって冷凍室ゾーンＦＺの冷凍空間ＦＲと接続されている。図３に示すように、冷凍室ゾーンＦＺの背面には、冷凍空間４０の庫内温度を測定するための冷凍温度センサＳ２が設けられている。
【００４８】
図１１に示すように、制御部１００は、冷蔵温度センサＳ１、冷凍温度センサＳ２、蒸発器温度センサＳ３等の各種センサから入力される信号や、ＥＥＰＲＯＭ等の不揮発性記録媒体からなるメモリ１６４に記憶された制御プログラムに基づいて、送風機２１、冷蔵室用ダンパ７０、冷凍室用ダンパ３０、圧縮機１７０及び除霜ヒータ１７１の動作を制御する。
【００４９】
このような構成の冷蔵庫１では、制御部１００が、冷蔵温度センサＳ１及び冷凍温度センサＳ２によって検出された冷蔵室５の庫内温度ＴＲと冷凍室の庫内温度ＴＦに基づいて、圧縮機１７０及び送風機２１の駆動と、冷蔵室用ダンパ７０の開閉及び冷凍室用ダンパ３０の開閉を制御することで、冷蔵冷却運転と冷凍冷却運転とを切り替えて交互に実行することができる。これにより、冷凍室用ダンパ３０と冷蔵室用ダンパ７０は、冷凍室ゾーンＦＺと、冷蔵室５内をそれぞれ個別に適正に冷却することができるようになっている。
【００５０】
次に、上述した、冷蔵庫１の動作例を説明する。
【００５１】
図１と図２に示す冷蔵庫１の冷却運転は、冷凍冷却運転、冷蔵冷却運転、冷蔵冷凍冷却運転等を有する。
【００５２】
冷凍冷却運転では、図４に示す冷凍室ゾーンＦＺの冷却を行う。冷凍冷却運転では、図４に示す冷却器２０を動作させ、送風機２１をオンし、図８に示す冷蔵室ダンパ７０を閉鎖状態にし、図４に示すように冷凍室ダンパ３０を適切な角度で開成状態にする。
【００５３】
冷蔵冷却運転では、図８に示す冷蔵室５の冷却を行う。冷蔵冷却運転では、図４に示す冷却器２０を動作させ、送風機２１をオンし、図８に示す冷蔵室ダンパ７０を開成状態にし、図４に示すように冷凍室ダンパ３０を閉鎖状態にする。
【００５４】
冷蔵冷凍冷却運転では、冷蔵室５と冷凍室ゾーンＦＺの両方の冷却を行う。冷蔵冷凍冷却運転では、図４に示す冷却器２０を動作させ、送風機２１をオンし、図８に示す冷蔵室ダンパ７０を開成状態にし、図４に示すように冷凍室ダンパ３０を適切な角度で開成状態にする。
【００５５】
上述した本発明の実施形態では、図１と図２に示すように、冷蔵庫１の本体２の上部から順番に冷蔵室５と、野菜室７と、冷凍室である製氷室８と上部冷凍室９と主冷凍室１０を配置している。図４に示すように、冷却器２０および送風機２１が、冷凍室である製氷室８と上部冷凍室９と主冷凍室１０の後方に配置されている。本体２では、冷蔵室５への送風を制御する冷蔵室用タンパ７０と、冷凍室への送風を制御する冷凍室用ダンパ３０が設けられている。
【００５６】
これにより、冷蔵庫１の本体２は、上部から順番に冷蔵室５と、野菜室７と、冷凍室を配置しており、野菜室７が冷蔵室５と冷凍室の間に配置されている構造を有している状態で、冷蔵室５への送風を制御する冷蔵室用タンパ７０と、冷凍室への送風を制御する冷凍室用ダンパ３０は、それぞれ冷蔵室５と冷凍室を個別に適正に冷却を行うことができる。すなわち、図１と図２に示すように、冷蔵庫１は、最上段に冷蔵室５を配置し、この冷蔵室５の下部には野菜室７を配置し、そして最下段には冷凍室ゾーンＦＺを配置する構造を採用しているので、野菜室７は本体２の中段に位置されている。
【００５７】
このため、使用者は、野菜室７に対して重い野菜を出し入れする動作を容易に行うことができ、使用者の使用勝手の向上できる。このように使用勝手の向上を図っても、冷蔵室用タンパ７０と冷凍室用ダンパ３０は、冷蔵室と冷凍室のそれぞれに冷気を送って冷蔵室と冷凍室の個別冷却を行うことができる。従って、野菜室を利用する際の使用者の使用勝手の向上を図っても、冷蔵室用タンパ７０と冷凍室用ダンパ３０は、冷蔵室と冷凍室のそれぞれに冷気を送って、冷蔵室と冷凍室の冷却効率を上げることができる。
【００５８】
しかも、冷却器２０および送風機２１が、冷凍室である製氷室８と上部冷凍室９と主冷凍室１０の後方に配置している。このため、本発明の実施形態の冷蔵庫１では、冷却器２０と送風機２１が、野菜室７の後方ではなく、冷凍室ゾーンＦＺの後方に配置されているので、通常の冷却器と送風機が最下段の野菜室の後方に配置されている場合とは異なり、冷却器カバー１１には断熱構造体を用いる必要が無いので、構造が簡単になり軽量化が図れる。
【００５９】
図８と図９に示すように、冷蔵室用ダンパ７０は、断熱壁９５内に配置されており、この断熱壁９５は、野菜室７と冷凍室ゾーンＦＺを仕切る部材である。これにより、冷蔵室用ダンパ７０を断熱壁９５内に配置することができるので、冷蔵室用ダンパ７０の断熱構造を簡素化でき、冷蔵室用ダンパ７０を配置しても、冷蔵室５の収容室の食品収容用の内容積や野菜室７の収容室の食品収容用の内容積を減少させることが無い。
【００６０】
図４に示すように、冷凍室用ダンパ３０を送風機２１の前方に配置して、しかも冷凍用ダンパ３０を送風機２１の回転中心軸ＣＬよりも上方に位置するようにしている。これにより、冷凍室ダンパ３０を冷凍室ゾーンＦＺの後方に配置する際に、図１に示す冷凍室である製氷室８と上部冷凍室９と主冷凍室１０へ冷気を送風する風路（ダクト）の形成を妨げることが無い。
【００６１】
図３と図４に示すように、冷却器２０を覆う冷却器カバー１１の前方には、開口部４１を有する断熱部材４０が設けられ、開口部４１には冷凍室用ダンパ３０がはめ込んで配置されている。これにより、断熱部材４０は、冷却器２０と冷凍室ゾーンＦＺとの間において、冷凍室用ダンパ３０の周囲の断熱性能を確保することができる。
【００６２】
図６に示すように、冷凍室用ダンパ３０は、開閉板であるダンパ板３３を有し、ダンパ板３３は、図６（Ａ）に示すようにＺ方向（鉛直方向）に沿って開口部４１を閉じており、ダンパ板３３がフレーム３２の開口部３２Ｐを閉じた状態から、図６（Ｂ）に示すようにＹ方向に沿って冷凍室の収容室側に開くことで、矢印Ｐ０、Ｐ０１方向に沿って冷凍室へ冷気を流入させることができる。これにより、ダンパ板３３自体は、冷却器２０側よりも温度の低い冷却器側ではなく、温度の高い冷凍室ゾーンＦＺの収容室側に開くことができる。このため、ダンパ板３３が冷却器２０側に開く場合に比べて、結露したり凍結するのを防止することができる。
【００６３】
図３と図５に示すように、冷凍室用ダンパ３０の収容室側には、冷凍室の上方に冷気を冷凍室に吹き出すための冷凍室用の吹出口４６，４９が設けられている。これにより、冷気は、これらの冷凍室用の吹出口４６，４９と、下部側の冷凍室用の吹出口４４，４５を通じて、冷凍室ゾーンＦＺの各室にそれぞれ確実に送ることができる。
【００６４】
図３に示すように、冷凍室用の吹出口４６，４９は、送風機２１の回転中心軸ＣＬよりも上方に設けられている。これにより、送風機２１により送られる冷気は、この冷凍室用の吹出口４６，４９を通じて、冷凍室ゾーンＦＺの上部側に冷気をスムーズに確実に供給することができる。
【００６５】
図５に示すように、冷凍室用ダンパ３０の横には、製氷室８に冷気を吹き出すための製氷室用の吹出口４６が設けられており、製氷室用の吹出口４６と冷凍室ダンパ３０が同じ高さの位置に、すなわち同列の位置に配置されている。これにより、冷凍室ダンパ３０から導き出される冷気は、冷凍室ダンパ３０と同じ高さにある製氷室用の吹出口４６を通じて、スムーズに製氷室８に冷気を供給することができる。
【００６６】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６７】
本発明の各実施形態は、任意に組み合わせて用いることができる。また、図１に示す冷蔵庫１の構造は、一例であり、任意の構造を採用することができる。
【００６８】
図示例の冷蔵庫１は、１台のエバポレータに冷却された冷気を用いて行う１エバポレータタイプの冷蔵庫であるが、これに限らず、他の形式の冷蔵庫であっても良い。
【符号の説明】
【００６９】
１      冷蔵庫
２      冷蔵庫の本体
５      冷蔵室
７      野菜室
８      製氷室（冷凍室の例）
９      上冷凍室（冷凍室の例）
１０    主冷凍室（冷凍室の例）
３０    冷凍室用ダンパ
７０    冷蔵室用ダンパ
ＦＺ    冷凍室ゾーン
【図１】
2014134332.tif 000003
【図２】
2014134332.tif 000004
【図３】
2014134332.tif 000005
【図４】
2014134332.tif 000006
【図５】
2014134332.tif 000007
【図６】
2014134332.tif 000008
【図７】
2014134332.tif 000009
【図８】
2014134332.tif 000010
【図９】
2014134332.tif 000011
【図１０】
2014134332.tif 000012
【図１１】
2014134332.tif 000013